(57)【要約】【課題】  キャパシタなどから構成された補助電源となる充電部を備えた電子機器や画像形成装置において、省エネモードにおいてより一層の節電を図ることができるようにする。【解決手段】  全波整流回路２、平滑コンデンサＣ１などからなる第１電源回路は、商用交流電源ＡＣを、キャパシタバンク９を充電する充電装置となる定電流及び定電力充電電圧発生回路１０に電力を供給する。第２電源回路なるＤＣ／ＤＣコンバータ３３は、制御系の回路に電力を供給する。省エネモードにおいては、第１電源回路及び第２電源回路の電力の供給を停止し、キャパシタバンク９の充電電力を制御系の回路の一部（符号１２ｃ，２４，２５）に電力を供給する。基準電圧回路３９は、キャパシタバンク９の充電電圧を検出する。コンパレータ３１は、この検出電圧を基準値と比較し、検出電圧が基準値を下回ったときはリレー１１を閉じてキャパシタバンク９の充電を行う。【選択図】    図３
2006211768.tif 000002
【特許請求の範囲】
【請求項１】
蓄電する蓄電部と、
前記蓄電部から電力の供給を受ける所定の負荷と、
前記蓄電部を充電する充電装置と、
商用電源を電源として前記充電装置に電力を供給する第１電源回路と、
前記商用電源を電源として前記負荷以外の本装置の一部の回路に電力を供給する第２電源回路と、
本装置の省エネモードでは前記第１電源回路及び前記第２電源回路による電力の供給を停止し、前記蓄電部の充電電力を前記一部の回路に供給する電力供給手段と、
前記蓄電部の充電電圧を検出する第１電圧検出回路と、
この検出電圧をあらかじめ設定されている基準値と比較する第１比較手段と、
この比較で前記検出電圧が前記基準値を下回ったときは前記充電装置による前記充電部の充電を行う第１充電手段と、
を備えている電子機器。
【請求項２】
前記第１充電手段は、前記商用電源と前記充電装置との間のラインを開閉するスイッチを閉じることにより前記充電装置による充電を行う、請求項１に記載の電子機器。
【請求項３】
前記スイッチは、非通電時に閉じるリレーである、請求項２に記載の電子機器。
【請求項４】
前記一部の回路は、本装置の外部からの信号の入力を検出して本装置の前記省エネモードからの復帰を行う回路を含む、請求項１〜３のいずれかの一項に記載の電子機器。
【請求項５】
前記一部の回路は、本装置の所定のメモリを含む、請求項１〜４のいずれかの一項に記載の電子機器。
【請求項６】
前記蓄電部は、複数のキャパシタセルを直列に接続したキャパシタバンクである、請求項１〜５のいずれかの一項に記載の電子機器。
【請求項７】
前記第１電圧検出回路は、前記キャパシタバンク全体の電圧を検出する、請求項６に記載の電子機器。
【請求項８】
前記第１電圧検出回路は、前記キャパシタバンクを構成する少なくとも１つのキャパシタセルの電圧を検出する、請求項６に記載の電子機器。
【請求項９】
前記蓄電部は、複数のキャパシタセルを直列に接続したキャパシタバンクと所定の蓄電器とが並列に接続されてなり、
前記電力供給手段は、前記蓄電部のうち前記蓄電器の充電電力を前記一部の回路に供給する、
請求項１〜５のいずれかの一項に記載の電子機器。
【請求項１０】
前記第１電圧検出回路は、前記蓄電器の充電電圧を検出する、請求項９に記載の電子機器。
【請求項１１】
前記第１電圧検出回路は、前記キャパシタバンクの充電電圧を検出する、請求項９に記載の電子機器。
【請求項１２】
前記第１電圧検出回路は、前記キャパシタバンクの端子電圧を検出し、
前記第１充電手段は、前記比較で前記検出電圧が前記基準値を下回ったときは前記キャパシタバンクの充電を行ない、
前記蓄電器の充電電圧を検出する第２電圧検出回路と、
この検出電圧をあらかじめ設定されている基準値と比較する第２比較手段と、
この比較で前記検出電圧が前記基準値を下回ったときは前記キャパシタバンクによる前記蓄電器の充電を行う第２充電手段と、
をさらに備えている請求項９〜１１のいずれかの一項に記載の電子機器。
【請求項１３】
蓄電する蓄電部と、
前記蓄電部から電力の供給を受ける所定の負荷と、
前記蓄電部を充電する充電装置と、
商用電源を電源として前記充電装置に電力を供給する第１電源回路と、
前記商用電源を電源として前記負荷以外の本装置の一部の回路に電力を供給する第２電源回路と、
本装置の省エネモードでは前記第１電源回路及び前記第２電源回路による電力の供給を停止し、前記蓄電部の充電電力を前記一部の回路に供給する電力供給手段と、
を備え、
前記蓄電部は、複数のキャパシタセルを直列に接続したキャパシタバンクと所定の蓄電器とが並列に接続されてなり、
前記電力供給手段は、前記蓄電部のうち前記蓄電器の充電電力を前記一部の回路に供給する、
電子機器。
【請求項１４】
前記蓄電器は、電気二重層コンデンサである、請求項９〜１３のいずれかの一項に記載の電子機器。
【請求項１５】
前記蓄電器は、リチウムイオン電池である、請求項９〜１３のいずれかの一項に記載の電子機器。
【請求項１６】
定着装置と、
蓄電する蓄電部と、
商用電源を電源として前記定着装置の定着ローラを加熱する第１ヒータと、
前記蓄電部から電力の供給を受けて前記定着装置の定着ローラを加熱する第２ヒータと、
前記蓄電部を充電する充電装置と、
前記商用電源を電源として前記充電装置に電力を供給する第１電源回路と、
前記商用電源を電源として前記第１、第２ヒータ以外の本装置の一部の回路に電力を供給する第２電源回路と、
本装置の省エネモードでは前記第１電源回路及び前記第２電源回路による電力の供給を停止し、前記蓄電部の充電電力を前記一部の回路に供給する電力供給手段と、
前記蓄電部の充電電圧を検出する第１電圧検出回路と、
この検出電圧をあらかじめ設定されている基準値と比較する第１比較手段と、
この比較で前記検出電圧が前記基準値を下回ったときは前記充電装置による前記充電部の充電を行う第１充電手段と、
を備えている電子写真方式の画像形成装置。
【請求項１７】
前記蓄電部は、複数のキャパシタセルを直列に接続したキャパシタバンクである、請求項１６に記載の画像形成装置。
【請求項１８】
前記蓄電部は、複数のキャパシタセルを直列に接続したキャパシタバンクと所定の蓄電器とが並列に接続されてなり、
前記電力供給手段は、前記蓄電部のうち前記蓄電器の充電電力を前記一部の回路に供給する、
請求項１６又は１７に記載の画像形成装置。
【請求項１９】
前記第１電圧検出回路は、前記キャパシタバンクの端子電圧を検出し、
前記第１充電手段は、前記比較で前記検出電圧が前記基準値を下回ったときは前記キャパシタバンクの充電を行ない、
前記蓄電器の充電電圧を検出する第２電圧検出回路と、
この検出電圧をあらかじめ設定されている基準値と比較する第２比較手段と、
この比較で前記検出電圧が前記基準値を下回ったときは前記キャパシタバンクによる前記蓄電器の充電を行う第２充電手段と、
をさらに備えている請求項１６〜１８のいずれかの一項に記載の画像形成装置。
【請求項２０】
定着装置と、
蓄電する蓄電部と、
商用電源を電源として前記定着装置の定着ローラを加熱する第１ヒータと、
前記蓄電部から電力の供給を受けて前記定着装置の定着ローラを加熱する第２ヒータと、
前記蓄電部を充電する充電装置と、
商用電源を電源として前記充電装置に電力を供給する第１電源回路と、
前記商用電源を電源として前記第１、第２ヒータ以外の本装置の一部の回路に電力を供給する第２電源回路と、
本装置の省エネモードでは前記第１電源回路及び前記第２電源回路による電力の供給を停止し、前記蓄電部の充電電力を前記一部の回路に供給する電力供給手段と、
を備え、
前記蓄電部は、複数のキャパシタセルを直列に接続したキャパシタバンクと所定の蓄電器とが並列に接続されてなり、
前記電力供給手段は、前記蓄電部のうち前記蓄電器の充電電力を前記一部の回路に供給する、
電子写真方式の画像形成装置。
【発明の詳細な説明】
【技術分野】
【０００１】
本発明は、様々な電子機器及び電子写真方式の画像形成装置に関する。
【背景技術】
【０００２】
電気二重層コンデンサは、大容量を有し、充放電サイクル特性にも優れていることから、様々な電子機器のバックアップ電源や、電子写真方式の画像形成装置の補助電源、自動車をはじめとした各種輸送機のバッテリーとして用いられている他、エネルギーの有効利用の観点からは、夜間電力の貯蔵といった用途での使用も検討されている。
【０００３】
この電気二重層コンデンサを使用した補助電源装置や、その補助電源装置を使用した画像形成装置としては、特許文献１〜３に開示の技術が知られている。
【０００４】
特許文献１には、直列に接続されたキャパシタセルと、このキャパシタセルに充電する充電器と、各キャパシタセルの充電電圧を均等化する並列モニータとで構成する点が示されており、前記直列に接続されたキャパシタのいずれかが満充電になると、充電器による充電を停止、満充電電圧を割り込むと、再度充電器による充電することが開示されている。
【０００５】
特許文献２には、その図５において、主電源装置、充電器、補助電源装置、主電源装置と充電器を接続する補助スイッチと、この補助スイッチを主電源装置と充電器と接続する制御部を設け、主電源装置から補助電源スイッチを通して充電器に電力を供給し、充電器により補助電源装置を充電することが開示されている。
【０００６】
特許文献３には、キャパシタを補助電源として使用することにより、加熱装置の立ち上がり時間を短くし、且つ加熱装置の温度変化を小さくすることが開示されている。
【０００７】
【特許文献１】特許第３４９１８７５号公報
【特許文献２】特開２００３−２５７５９０号公報
【特許文献３】特開２００３−２９７５２６号公報
【発明の開示】
【発明が解決しようとする課題】
【０００８】
ところで、電子写真方式の画像形成装置などの電子機器においては、主電源が投入された状態でも装置が一定期間使用されなかったときは、制御系の回路などの回路の一部を除いて電力の供給を一時停止し、節電を図る、所謂、省エネモードを備えている。
【０００９】
このような電子機器では、商用交流電源から制御系の回路に供給する直流電源を生成する電源回路を備え、省エネモードにおいても電力の供給を継続する制御系の回路などへの電力の供給は、当該電源回路から行なっている。
【００１０】
しかしながら、このような電源回路から省エネモードにおいて供給する直流電源は、例えば定格電力の８０％程度の高い出力である。そして、実際に省エネモードでも電力の供給を継続すべきなのは制御系回路の一部であり、必要なのは直流電源の定格電力のせいぜい３０％程度である。そのため、省エネモードにおいて定格電力の８０％程度の高い出力を維持するのでは、省エネルギーという観点では無駄が多く、さらに一層の節電を図りたい。
【００１１】
そこで、本発明の目的は、キャパシタなどから構成された補助電源となる充電部を備えた電子機器や画像形成装置において、省エネモードにおいてより一層の節電を図ることができるようにすることである。
【課題を解決するための手段】
【００１２】
本発明は、蓄電する蓄電部と、前記蓄電部から電力の供給を受ける所定の負荷と、前記蓄電部を充電する充電装置と、商用電源を電源として前記充電装置に電力を供給する第１電源回路と、前記商用電源を電源として前記負荷以外の本装置の一部の回路に電力を供給する第２電源回路と、本装置の省エネモードでは前記第１電源回路及び前記第２電源回路による電力の供給を停止し、前記蓄電部の充電電力を前記一部の回路に供給する電力供給手段と、前記蓄電部の充電電圧を検出する第１電圧検出回路と、この検出電圧をあらかじめ設定されている基準値と比較する第１比較手段と、この比較で前記検出電圧が前記基準値を下回ったときは前記充電装置による前記充電部の充電を行う第１充電手段と、を備えている電子機器である。
【００１３】
別の面から見た本発明は、定着装置と、蓄電する蓄電部と、商用電源を電源として前記定着装置の定着ローラを加熱する第１ヒータと、前記蓄電部から電力の供給を受けて前記定着装置の定着ローラを加熱する第２ヒータと、前記蓄電部を充電する充電装置と、前記商用電源を電源として前記充電装置に電力を供給する第１電源回路と、前記商用電源を電源として前記第１、第２ヒータ以外の本装置の一部の回路に電力を供給する第２電源回路と、本装置の省エネモードでは前記第１電源回路及び前記第２電源回路による電力の供給を停止し、前記蓄電部の充電電力を前記一部の回路に供給する電力供給手段と、前記蓄電部の充電電圧を検出する第１電圧検出回路と、この検出電圧をあらかじめ設定されている基準値と比較する第１比較手段と、この比較で前記検出電圧が前記基準値を下回ったときは前記充電装置による前記充電部の充電を行う第１充電手段と、を備えている電子写真方式の画像形成装置である。
【発明の効果】
【００１４】
本発明によれば、省エネモード中においても通電を維持すべき一部の回路に対しても、第２電源回路ではなく蓄電部の蓄電電力を使用することができるので、省エネモード中に第２電源回路で大電力を出力する必要はなく、従来に比べて節電を図ることができる。
【００１５】
しかも、省エネモードが長時間持続した場合などでも、充電部の電圧が低下したときは自動的に充電することができる。
【発明を実施するための最良の形態】
【００１６】
以下、本発明を実施するための最良の一形態について説明する。
【００１７】
図１は、本発明の電子機器、画像形成装置を実施する画像形成装置１の概略構成を示す縦断側面図である。
【００１８】
図１に示すように、画像形成装置１は、電子写真方式の画像形成装置であり、その中央部に設けられた画像形成部１Ａ、その画像形成部１Ａの下方に設けられた給紙部１Ｂ、及び画像形成部１Ａの上方に設けられた原稿走査部１Ｃから構成されている。
【００１９】
原稿走査部１Ｃは、原稿が載置される原稿載置台１Ｃ１を有するスキャナ１Ｃ２及び原稿載置台１Ｃ１上に設けられた自動原稿給送装置１Ｃ３を備えている。スキャナ１Ｃ２は、原稿載置台１Ｃ１上の原稿から原稿画像（画像データ）を読み取る。自動原稿給送装置１Ｃ３は、原稿載置台１Ｃ１上に原稿を送り出し、さらに、原稿載置台１Ｃ１上に送り出された原稿を反転する構造になっている。これにより、原稿の表裏各面での原稿画像の読み取りも可能である。
【００２０】
画像形成部１Ａは、水平方向に展張面を有する中間転写ベルト２、及びその展張面に沿って並置され色分解色と補色関係にある色のトナー（イエロー、マゼンタ、シアン、ブラック）によるトナー画像を担持可能な複数の感光体３Ｙ、３Ｍ、３Ｃ、３Ｂ等を備えている。
【００２１】
各感光体３Ｙ、３Ｍ、３Ｃ、３Ｂはドラム状に形成され、それぞれ同じ方向（図１では反時計方向）に回転可能に設けられている。各感光体３Ｙ、３Ｍ、３Ｃ、３Ｂの周辺には、感光体３Ｙ、３Ｍ、３Ｃ、３Ｂの回転過程において画像形成処理を実行する帯電装置４Ｙ、４Ｍ、４Ｃ、４Ｂ、書込装置５、現像装置６Ｙ、６Ｍ、６Ｃ、６Ｂ、１次転写装置７Ｙ、７Ｍ、７Ｃ、７Ｂ及びクリーニング装置８Ｙ、８Ｍ、８Ｃ、８Ｂが配置されている。
【００２２】
帯電装置４Ｙ、４Ｍ、４Ｃ、４Ｂは、感光体３Ｙ、３Ｍ、３Ｃ、３Ｂの表面を一様に帯電させる。
【００２３】
書込装置５は、スキャナ１Ｃ２により原稿載置台１Ｃ１上の原稿から得られた画像情報、あるいは画像形成装置１に接続されたコンピュータ（図示せず）から入力された画像情報に応じた書込光を各感光体３Ｙ、３Ｍ、３Ｃ、３Ｂにそれぞれ出射して静電潜像を形成する。
【００２４】
現像装置６Ｙ、６Ｍ、６Ｃ、６Ｂは、感光体３Ｙ、３Ｍ、３Ｃ、３Ｂの表面に形成された静電潜像にトナーを供給して、その表面にトナー像を形成する。
【００２５】
１次転写装置７Ｙ、７Ｍ、７Ｃ、７Ｂは、感光体３Ｙ、３Ｍ、３Ｃ、３Ｂの表面に形成されたトナー像を中間転写ベルト２に一次転写させる。このとき、各感光体３Ｙ、３Ｍ、３Ｃ、３Ｂのトナー像は中間転写ベルト２上に重畳される。
【００２６】
中間転写ベルト２は、複数のローラ２Ａ、２Ｂ、２Ｃに掛け回されて感光体３Ｙ、３Ｍ、３Ｃ、３Ｂとの対峙位置において同方向に移動可能に形成されている。ローラ２Ａとローラ２Ｂとは中間転写ベルト２の展張面を形成している。それらの他のローラ２Ｃは、中間転写ベルト２を挟んで２次転写装置９に対峙している。また、中間転写ベルト２に対向する位置には、中間転写ベルト２をクリーニングするクリーニング装置１０が設けられている。
【００２７】
２次転写装置９は、帯電駆動ローラ９Ａ及び従動ローラ９Ｂに掛け回されて２次転写位置で中間転写ベルト２と同方向に移動可能な転写ベルト９Ｃを備えており、転写ベルト９Ｃを帯電駆動ローラ９Ａにより帯電させることで中間転写ベルト２に重畳された多色画像あるいは担持されている単一色の画像をシートに転写する。
【００２８】
給紙部１Ｂは、シートを収容する複数の給紙カセット１Ｂ１、給紙カセット１Ｂ１から繰り出されるシートの搬送路に配置された複数の搬送ローラ１Ｂ２、及び２次転写位置の上流側（シートの搬送方向において）に位置するレジストローラ１Ｂ３等を備えている。
【００２９】
さらに、給紙部１Ｂは、画像形成部１Ａの壁面の一部を起倒可能に設けた手差しトレイ１Ｂ４及び繰り出しコロ１Ｂ５を備えており、給紙カセット１Ｂ１から繰り出されるシートの搬送路に加えて手差しトレイ１Ｂ４に載置されたシートを２次転写位置に向け給送する。給紙カセット１Ｂ１からレジストローラ１Ｂ３に向けたシートの搬送路途中には、手差しトレイ１Ｂ４から繰り出されたシートの搬送路が合流し、いずれの搬送路から給送されるシートもレジストローラ１Ｂ３によってレジストタイミングが設定されるようになっている。
【００３０】
２次転写装置の下流側（シートの搬送方向において）には、シート上のトナー画像をシートに定着する定着装置１１１（詳しくは後述する）及びトナー画像が定着されたシートを排出する排出部１２が設けられている。
【００３１】
また、画像形成装置１には、ジャム処理等でその内部を開放するための前ドア（図示せず）、及び定着装置１１１に電力を供給するキャパシタ装置１３（詳しくは後述する）が設けられている。キャパシタ装置１３は、画像形成装置１に対して装着可能に形成されている。
【００３２】
排出部１２は、シートの搬送方向を切り換える搬送路切り換え爪１２Ａ、シートが排出される排紙トレイ１２Ｂ、両面印刷等でシートの表裏を反転させる反転搬送路１２Ｃ等を備えている。この排出部１２は、搬送路切り換え爪１２Ａによってシートの搬送方向を切り換え、定着装置１１１を通過したシートを排紙トレイ１２Ｂに向けた搬送路又は反転搬送路１２Ｃに沿って搬送する。
【００３３】
このような画像形成装置１では、原稿載置台１Ｃ１上に載置された原稿からの画像情報、あるいは外部のホストコンピュータからの画像情報に基づいて、一様帯電された感光体３Ｙ、３Ｍ、３Ｃ、３Ｂに対して静電潜像が形成され、静電潜像が現像装置６Ｙ、６Ｍ、６Ｃ、６Ｂによって可視像処理された後、トナー像が中間転写ベルト２に１次転写される。
【００３４】
中間転写ベルト２に１次転写されたトナー像は、単一色画像の場合にはそのまま給紙部１Ｂから繰り出されたシートに対して２次転写され、多色画像の場合には１次転写の繰り返しにより重畳された後、シートに対して一括して２次転写される。２次転写後のシートは定着装置１１１により未定着画像を定着された後、排紙トレイ１２Ｂに向けて、あるいは反転されて再度レジストローラ１Ｂ３に向けて給送される。
【００３５】
図２は、画像形成装置１が備えている定着装置１１１の概略構成を示す縦断側面図である。
【００３６】
図２に示すように、定着装置１１１は、定着部材である定着ローラ２１、加圧部材である加圧ローラ２３、及び加圧ローラ２３を一定の加圧力で定着ローラ２１に押し当てる加圧手段（図示せず）を備えている。定着ローラ２１及び加圧ローラ２３は、駆動機構（図示せず）により回転駆動される。
【００３７】
また、定着装置１１１には、ＡＣヒータ２つ（符号２９，３０）、ＤＣヒータ（符号２２）１つの合計３つの加熱用のヒータが設けられており、また、温度検出用サーミスタ（符号３７，３８）が設けられている。これらの定着ヒータ２９，３０，２２は、定着ローラ２１の内部に配置されており、その定着ローラ２１を内部から加熱する。また、サーミスタ３７，３８は、定着ローラ２１の表面に当接され、定着ローラ２１の表面温度（定着温度）を検出する。なお、サーミスタ３７はヒータ２９及びヒータ３０に対応する測定領域に配置され、サーミスタ３８はヒータ２２に対応する測定領域に配置されている。
【００３８】
ヒータ２９，３０は、定着ローラ２１の温度が目標温度に達していないときにＯＮされて定着ローラ２１を加熱する主たるヒータ（第１ヒータ）である。また、ヒータ２２は、画像形成装置１の主電源投入の時や省エネのためのスリープモード（省エネモード）時からコピー可能となるまでの立ち上げ時等、すなわち、定着装置１１１のウォームアップ時にＯＮされたり、又は、画像形成時に定着ローラ２１の温度が目標温度に達してないときにＯＮされたりして、定着ローラ２１を加熱する補助的なヒータ（第２ヒータ（所定の負荷となる））である。
【００３９】
このような定着装置１１１では、トナー画像を担持したシーターが定着ローラ２１と加圧ローラ２２とのニップ部を通過する際に定着ローラ２１及び加圧ローラ２３によって加圧及び加圧される。これにより、シートにはトナー画像が定着される。
【００４０】
図３は、画像形成装置１が備えている電源装置の回路図である。
【００４１】
まず、画像形成装置制御部１２について説明する。
【００４２】
画像形成装置制御部１２にはＣＰＵ１２ａ、図示しないＲＯＭ、ＲＡＭ、タイーマー、割り込み制御回路、Ａ／Ｄコンバータ、シリアルコントローラ（ＵＡＲＴ）、及び入出力ポートを備えている。
【００４３】
画像形成装置１の主電源がはじめて投入された場合は、キャパシタバンク９は充電されてないので、ノーマルクローズ（非通電時は閉じている）のリレー１１は通電されない。従ってリレー１１は閉じた状態になり、後述の充電部にはＡＣ電源が供給される。
【００４４】
画像形成装置制御部１２は、主電源が投入されＤＣ／ＤＣコンバータより電源供給を受けると、ＣＰＵ１２ａは、画像形成装置制御部及び周辺回路の初期設定を行った後、ポート１より、リレー１１を閉じる信号“Ｌｏｗ”をオープンコレクター回路３４に出力する。オープンコレクター回路３４の出力により、リレー駆動回路３７のトランジスタＴｒ３はＯＦＦ状態になるので、リレー１１は非通電状態になり、リレー接点を閉じた状態を継続する。
【００４５】
ＣＰＵ１２ａは画像形成装置１で画像形成動作を実施した後、一定時間、画像形成動作を実施しない場合は、画像形成装置１の電力を削減する省エネモードに入る。ＣＰＵ１２ａはこの省エネモードに入るときに、ポート１より、リレー１１を開放する信号“Ｈ”をオープンコレクター回路３４に出力する。オープンコレクター回路３４の出力により、リレー駆動回路３７のトランジスタＴｒ３はＯＮ状態になり、リレー１１は通電状態になる。詳細は後述するが、キャパシタバンク９が充電状態の場合には、トランジスタＴｒ２はＯＮ状態なので、トランジスタＴｒ３はＯＦＦ状態になる。従って、ＣＰＵ１２ａが省エネモードに入る場合でも、充電中は省エネモードに入るのは延期される。充電が完了すると、トランジスタＴｒ２はＯＦＦ状態となり、トランジスタＴｒ３はＯＮし、リレー１１は通電状態になり、リレー１１は開放される。リレー１１が開放されることにより、後述の充電部へのＡＣ電源供給は停止される。
【００４６】
また、ＣＰＵ１２ａは、省エネモードに入る時、ＤＣ／ＤＣコンバータ回路３３に、電源出力停止信号、“Ｈ”をポート５より出力する。
【００４７】
ＤＣ／ＤＣコンバータ回路３３は、この“Ｈ”信号により、画像形成装置制御部１２、画像形成装置制御部１２の一部の制御回路１２ｃ及びＬＡＮコントロール回路２６への電源供給を停止する。
【００４８】
省エネモードを解除する時は、省エネモード解除ＳＷ３６をＯＮする。省エネモード解除ＳＷ信号“Ｌｏｗ”は、ＤＣ／ＤＣコンバータ回路３３に入力される。
【００４９】
ＤＣ／ＤＣコンバータ回路３３は、省エネモード解除ＳＷ信号“Ｌｏｗ”が入力されると、画像形成装置制御部１２、画像形成装置制御部１２の一部の制御回路１２ｃ、及びＬＡＮコントロール回路２６に電源を供給する。これにより、省エネモードは解除される。
【００５０】
画像形成装置制御部１２には、ＬＡＮコントロール回路２６が接続されており、省エネモード時は、キャパシタセル９ｑにより、電力供給を受けている。
【００５１】
ＬＡＮコントロール回路２６は、画像形成装置１が接続されているＬＡＮの制御を行い、省エネモード時に外部のコンピュータなどからＬＡＮ信号を受信すると、省エネモード解除信号“Ｌｏｗ”を、ＤＣ／ＤＣコンバータ回路３３に出力する。ＤＣ／ＤＣコンバータ回路３３は、省エネモード解除信号“Ｌｏｗ”が入力されると、画像形成装置制御部１２、画像形成装置制御部１２の一部の制御回路１２ｃ、及びＬＡＮコントロール回路２６に電源を供給する。
【００５２】
尚、キャパシタセル９ｑの電圧は、Ｖｃｃより低く設定されており、主電源がＯＮされてＬＡＮインターフェース回路２６及び画像形成装置制御部１２の一部の制御回路１２ｃにＶｃｃ電源が供給されている場合は、キャパシタセル９ｑからＬＡＮインターフェース回路２６、及び画像形成装置制御部１２の一部の制御回路１２ｃに電力が供給されることはない。
【００５３】
次にキャパシタバンク９の蓄電力を、画像形成装置１のメモリに使用する点について説明を行う。
【００５４】
画像形成装置１の主電源がＯＮされた通常時は、電源供給回路２４によりメモリ２５には電力が供給されている。省エネモード時または主電源がＯＦＦ時は、キャパシタセル９ｒによりメモリ２５はバックアップされる。尚、メモリ２５は、ＳＲＡＭ，ＳＤＲＡＭ，ＤＤＲ等である。
【００５５】
次に、画像形成装置制御部１２が、キャパシタバンク９に蓄電された電力を放電する動作を説明する。
【００５６】
ＣＰＵ１２ａにより、定着装置１１１に設けられた、サーミスタ３８により定着装置１１１の過熱部温度は検出される。ＣＰＵ１２ａは、サーミスタ３８の温度が予め設定された温度より低い場合は、定電流及び定電力充電電圧発生回路１０とＵＡＲＴ２８を介して通信を行い、キャパシタバンク９の電圧が、放電できる状態の場合は、ポート２より放電回路１９のリレー１９ａを駆動する回路２０に信号“Ｈ”を出力し、次にポート３よりＦＥＴ１９ａをＯＮする信号“Ｈ”を、バッファ回路２１に出力する。リレー１９ａ及びＦＥＴ９ｂはＯＮされキャパシタバンク９に接続された、定着ヒータ２２に電力が供給される。
【００５７】
サーミスタ３８の温度が予め設定された温度より高い場合は、ＣＰＵ１２ａのポート２、より放電回路１９のリレー１９ａを駆動する回路２０に“Ｌｏｗ”信号を出力し、次にポート３よりＦＥＴ１９ａをＯＦＦする信号“Ｌｏｗ”を、バッファ回路２１に出力する。よって、定着ヒータ２２への電力供給は停止される。
【００５８】
次に、キャパシタバンク９の充電電圧を検出して、後述の充電部にＡＣ電力を供給するリレー１１を制御する制御回路の説明を行う。
【００５９】
充電電圧検出回路３１は、コンパレータ４２と抵抗Ｒ９と抵抗Ｒ８とでヒステリシス回路を構成する。キャパシタセル９ｒの充電電圧は、コンパレータ４２の反転入力端子に入力される。
【００６０】
また、キャパシタセル９ｒ，９ｑ，９ｐを直列に接続した電圧と抵抗Ｒ７とツェナーダイオードＺＤ２とで構成される回路により、キャパシタセル９ｒの充電電圧の閾値を検出するための基準電圧は作成される。この基準電圧回路３９の出力が抵抗Ｒ８を介してコンパレータ４２の非反転入力端子に入力される。
【００６１】
ヒステリスシス特性を有した充電電圧検出回路３１は、コンパレータの反転入力端子電圧（キャパシタ９ｒ電圧）が、基準電圧回路３９の電圧より高くなると、信号“Ｌｏｗ”をトランジスタＴｒ２に出力し、トランジスタＴｒ２はＯＦＦとなる。トランジスタＴｒ２のコレクター出力はトランジスタＴｒ３のベースに接続されている。
【００６２】
この状態で画像形成装置制御部１２及びＬＡＮコントロール回路２６にＤＣ／ＤＣコンバータの電源が供給されている場合は、画像形成装置制御部１２のポート１より、リレー１１を閉じる信号“Ｌｏｗ”がオープンコレクター回路３４に出力されているので、閉じる信号が優先される。
【００６３】
画像形成装置制御部１２及びＬＡＮコントロール回路２６にＤＣ／ＤＣコンバータ３３の電源が供給されてない、省エネモードの場合は、画像形成装置制御部１２のポート１より信号は出力されてないので、トランジスタＴｒ３はＯＮする。トランジスタＴｒ３がＯＮすることによりノーマルクローズのリレー１１は通電され、リレー１１の接点は開放される。
【００６４】
ヒステリスシス特性を有した充電電圧検出回路３１は、コンパレータ４２の反転入力端子電圧（キャパシタ９ｒ電圧）が、基準電圧回路３９の電圧より低くなると、リレー１１を閉じる信号、“Ｈ”をトランジスタＴｒ２に出力する。これによりトランジスタＴｒ２はＯＮとなり、トランジスタＴｒ３はＯＦＦとなり、リレー１１は非通電状態となり、リレー１１の接点は閉じられ、充電は開始される。
【００６５】
次に、キャパシタバンク９を充電する充電部の充電回路及びその動作説明を行う。
【００６６】
交流電源ＡＣからの交流入力は、フィルタ１を介して、非通電時に閉じた（ノーマルクローズ）リレー１１に接続され、このリレー１１の出力は全波整流回路２に接続され、全波整流された出力は平滑コンデンサＣ１に接続される。この平滑コンデンサＣ１により、全波整流回路２の出力のリップル成分等は除去される。
【００６７】
この全波整流回路２の直流出力側には、平滑コンデンサＣ１と並列に高周波トランス３の一次コイル３ａが接続され、この一次コイル３ａに、スイッチング手段としてＦＥＴ６ａが直列に接続されている。
【００６８】
ＦＥＴ６ａで構成されるスイッチング回路６は、後述するスイッチング・レギュレーターＩＣ１３から出力されるＰＷＭ信号により、ＦＥＴ６ａがスイッチング（ＯＮ，ＯＦＦ動作）すると、一次コイル３ａにはスイッチング電流が流れる。この一次側のスイッチ電流により、トランス３の二次コイル３ｂにスイッチ電圧が誘起する。このスイッチング周波数の導通期間を変えれば、出力電圧の制御を行うことが出来る。
【００６９】
トランス３の二次コイル３ｂには整流回路４として、ダイオードＤ１，Ｄ２が接続され、スイッチング電圧はこの整流回路４で整流され、チュークコイル５及びコンデンサＣ２により平滑され、直流出力に変換される。この直流出力はダイオードＤ３を介して、キャパシタセル（９ａ以下）が直列に接続されたキャパシタバンク９に供給され、キャパシタバンク９の個々のキャパシタセルは充電される。
【００７０】
本例のキャパシタバンク９には、満杯充電時に２．５Ｖになるキャパシタセル（電気二重層コンデンサセル）が１８個、直列に接続されている。従って、１８個のキャパシタセルが満充電になると、４５Ｖの電圧が蓄電されることになる。
【００７１】
次に、ＰＷＭ信号を発生させるスイッチング・レギュレーターＩＣ１３の動作説明を行う。
【００７２】
スイッチング・レギュレーターＩＣ１３は、全波整流回路２の直流出力を、抵抗Ｒ１とコンデンサＣ３及びツェナーダイオードＺＤ１で構成される回路からの電源供給により、動作を開始し、補助巻線７とダイオードＤ４とで構成される補助電源により動作を継続する。
【００７３】
ＰＷＭ信号となる周波数は、抵抗とコンダンサーとで構成される回路１５の抵抗値とコンデンサの容量で決定される。
【００７４】
スイッチング・レギュレーターＩＣ１３には、フィードバック電圧検出回路１４の、フォトカプラＰＣ１の出力電圧のフィードバック電圧２３に応じパルス幅を変調させるための電圧―パルス幅変換回路を備えている。そして、フィードバック電圧２３に応じ、パルス幅が変化し、そのＰＷＭ信号はＦＥＴ６ａのゲートに入力され、ＦＥＴ６ａによりトランス３の一次コイル３ａをスイッチングすることにより、トランス３の二次コイル３ｂに出力電圧の異なる電圧を発生させることが出来る。
【００７５】
フィードバック電圧検出回路１４へのフィードバックは、定電流及び定電力充電電圧発生回路１０により、発生した電圧が、電圧を電流に変換する電圧電流変換回路１８を構成するトランジスタＴｒ１のベースに供給され、トランジスタＴｒ１のエミッターに接続されたフォトカプラＰＣ１により、フィードバックされる。
【００７６】
次に、キャパシタバンク９及びキャパシタバンク９の充電電圧検出回路１６について説明する。
【００７７】
すなわち、キャパシタバンク９の端子間電圧は、抵抗Ｒ２と抵抗Ｒ３により分圧され、その電圧が定電流及び定電力充電電圧発生回路１０に入力される。
【００７８】
次に、定電流及び定電力充電電圧発生回路１０によるキャパシタバンク９の充電電流検出について説明する。
【００７９】
キャパシタバンク９の充電電流の検出は、キャパシタバンク９と直列に接続された抵抗Ｒ４の端子間電圧を検出することにより行われる。
【００８０】
次に、キャパシタセル個々の満充電を検出し、充電電流をバイパスして充電電圧を均等化するバイパス回路１７の動作を簡単に説明する。
【００８１】
図３のバイパス回路１７ａは、キャパシタセル９ａの端子間に並列接続されている。キャパシタセル９ａが所定の電圧に充電されるとバイパス回路（バイパス回路１７の個々のバイパス回路は、キャパシタセル９ａに対応したバイパス回路で代表してバイパス回路１７ａの符号を付している）は、充電電流をバイパスする。他のバイパス回路も同様の動作を行い、キャパシタセルの充電電圧は均等化される。
【００８２】
バイパス回路１７は、何れかのキャパシタセルのバイパス回路が動作すると、キャパシタセル満充電信号４１を定電流及び定電力充電電圧発生回路１０に出力する。全てのバイパス回路が動作すると、充電完了信号４０を定電流及び定電力充電電圧発生回路１０に出力する。
【００８３】
次に、定電流及び定電力充電電圧発生回路１０が、キャパシタセル全体（キャパシタバンク９）の充電電圧検出、充電電流の検出、バイパス回路の動作を検出し、定電流充電及び定電力充電を行う点について説明する。
【００８４】
なお、定電流及び定電力充電電圧発生回路１０には、図示しないＣＰＵ、ＲＯＭ、ＲＡＭ、ターマー、割り込み制御回路、Ａ／Ｄコンバータ、シリアルコントローラ（ＵＡＲＴ）、Ｄ／Ａコンバータ及び入出力ポートを備えている。
【００８５】
この定電流及び定電力充電電圧発生回路１０は、画像形成装置制御部１２と、シリアル通信手段であるＵＡＲＴ２７を介してキャパシタセルへの充電等を行う。
【００８６】
定電流及び定電力充電電圧発生回路１０は、キャパシタバンク９の端子間電圧を充電電圧検出回路１６の出力により検出する。
【００８７】
キャパシタバンク９の端子間電圧が、予め設定された値より低い場合には、予め設定された定電流充電にする電圧を、定電流及び定電力充電電圧発生回路１０のＤ／Ａ端子より電圧・電流変換回路１８のオペアンプ２９に出力する。
【００８８】
定電流充電するための電流検出は、キャパシタバンク９と直列に接続された抵抗Ｒ４の端子間電圧により、検出される。この端子間電圧を定電流及び定電力充電電圧発生回路１０は逐次検出し、予め設定された定電流充電にするための電圧を、定電流及び定電力充電電圧発生回路１０のＤ／Ａ端子より電圧・電流変換回路１８のオペアンプ２９に出力する。
【００８９】
定電流及び定電力充電電圧発生回路１０のＤ／Ａ端子より出力するアナログ電圧は、抵抗Ｒ４の端子間電圧と出力するアナログ電圧との関係を予め登録しているテーブルを使用しても良いし、演算により算出しても良い。
【００９０】
定電流及び定電力充電電圧発生回路１０のＤ／Ａ端子より出力された、アナログ電圧は、電圧・電流変換回路１８のオペアンプ２９に入力され、トランジスタＴｒ１により、フォトカプラＰＣ１には、定電流及び定電力充電電圧発生回路１０のＤ／Ａ端子より出力された電圧に対応した電流が流れ、フィードバック電圧検出回路１４にフィードバックされ、このフィードバック電圧により、ＰＷＭ信号の幅が制御され、定電流充電するためのＰＷＭ信号が、スイッチング・レギュレーターＩＣ１３よりＦＥＴ６ａのゲートに出力される。
【００９１】
キャパシタバンク９の端子間電圧が予め設定された値以上になると、定電流及び定電力充電電圧発生回路１０は、定電力充電を行うために、前記したようにキャパシタバンク９の充電電流と、キャパシタバンク９の端子間電圧の検出を行い、検出した充電電流と充電電圧から、予め設定された定電力充電を行うための電圧を演算して決定する。
【００９２】
そして、この電圧を定電流及び定電力充電電圧発生回路１０のＤ／Ａ端子より出力する。前記したように、定電流及び定電力充電電圧発生回路１０のＤ／Ａ端子より出力された、アナログ電圧は、電圧・電流変換回路１８のオペアンプ２９に入力され、トランジスタＴｒ１により、フォトカプラＰＣ１には、定電流及び定電力充電電圧発生回路１０のＤ／Ａ端子より出力された電圧に対応した電流が流れ、フィードバック電圧検出回路１４にフィードバックされ、このフィードバック電圧により、ＰＷＭ信号の幅が制御され、定電力充電するためのＰＷＭ信号が、スイッチング・レギュレーターＩＣ１３よりＦＥＴ６ａに出力される。
【００９３】
定電流及び定電力充電電圧発生回路１０は、キャパシタバンク９の端子間電圧と、キャパシタバンク９の充電電流の検出を逐次行い、予め設定された定電力充電を行うための電圧を、Ｄ／Ａ端子より出力する。
【００９４】
次に、定電流及び定電力充電電圧発生回路１０は、何れかのキャパシタセルの充電完了を検知し、バイパス回路１７の動作を行うと、予め設定された定電流充電を行うために、前記したような定電流充電動作を行う。
【００９５】
次に、定電流及び定電力充電電圧発生回路１０は、全ての個々のバイパス回路（バイパス回路１７ａなど）の動作を検出すると、充電動作を停止する信号ａ（“Ｈ”信号）を、ＯＲ回路３０を介してスイッチング・レギュレーターＩＣ１３に出力する。
【００９６】
なお、本例は、アナログ電圧を出力するために、Ｄ／Ａコンバータを使用したが、通常の出力ポートより、ＰＷＭ信号を出力し、抵抗Ｒ５及びコンデンサＣ４により平滑し、アナログ電圧にしても良い。
【００９７】
また、整流回路４で整流され、チュークコイル５及びコンデンサＣ２により平滑された直流出力を、定電圧電源回路８に供給し、定電圧電源回路８により安定化した低電圧が、定電流及び定電力充電電圧発生回路１０の電源として供給される。
【００９８】
また、出力端子Ｔ１，Ｔ２及びＴ３は、キャパシタセルの蓄電力を外部に取り出すための端子である。
【００９９】
図４には、図３の回路の他の構成例の要部を示す。すなわち、本例は図３の回路において、充電電圧検出回路３１などから構成される回路の一部に代えて、図４の回路を用いるものである。図４の回路は、その各回路要素は図３と同様である。
図４の回路における信号ａ，ｃ，ｄは、図３に示している。図４の回路が図３と異なるのは、コンパレータ４２の反転入力端子に単一のキャパシタセル９ｒの端子電圧に代えて、信号ａ、すなわちキャパシタバンク９全体の端子電圧を印加する点である。
【０１００】
すなわち、図４は、キャパシタバンク９全体の充電電圧を検出し、予め設定された閾値より充電電圧が低下した場合は、リレー１１の接点を閉じて、予め設定された閾値より充電電圧が高い場合は、リレー１１の接点を開放する回路である。
【０１０１】
なお、回路系統を図示していないが、ヒータ２９，３０も商用交流電源ＡＣから電力の供給を受けて加熱する。
【０１０２】
以上の説明から明らかなように、画像形成装置１は、複数のキャパシタセルを直列に接続したキャパシタバンク９を蓄電部とし、定電流及び定電力充電電圧発生回路１０などを充電装置としてキャパシタバンク９を充電する。そして、全波整流回路１１、平滑コンデンサＣ１やその後段の前述の回路を第１電源回路とし、全波整流回路３２、平滑コンデンサＣ４、ＤＣ／ＤＣコンバータ３３などの回路を第２電源回路としている。
【０１０３】
省エネモードは、画像形成装置制御部１２が実行する処理で実現し（電力供給手段）、省エネモードでも電力供給を維持する一部の回路はＬＡＮコントロール回路２４、画像形成装置制御部１２の一部（符号１２ｃ）、メモリ２５である。
【０１０４】
第１電圧検出回路となるのは基準電圧回路３９であり、第１比較手段となるのは充電電圧検出回路３１であり、第１充電手段となるのはリレー１１及び回路３７などである。
【０１０５】
このような構成により、画像形成装置１は、省エネモードにおいては、第２電源回路となる前述の電源回路をＯＦＦにし、キャパシタバンク９からＬＡＮコントロール回路２４、画像形成装置制御部１２の一部（符号１２ｃ）、メモリ２５に電力を供給する。
【０１０６】
よって、第２電源回路から高い出力で電力を供給することなく省エネモードを維持することができ、従来に比べて節電を図ることができる。
【０１０７】
また、省エネモード中でも、自然放電し、あるいは、省エネモードが長期に及んで、キャパシタバンク９の充電量が十分でなくなったときは、リレー１１を閉じてキャパシタバンク９を充電することができるので、省エネモード中は必要最小限の電力のみを消費するようにして、一層の節電を図ることができる。
【０１０８】
次に、画像形成装置１が備えている電源装置の他の構成例について説明する。
【０１０９】
図５は、この電源装置の回路図である。以下では、図３、図４の回路の構成、動作と異なる点を中心に説明し、共通点については図３、図４と同一符号を用いて、詳細な説明を省略する。
【０１１０】
図５に示すように、本回路例では、キャパシタバンク９と並列に接続された蓄電手段４６と、蓄電手段４６に充電する回路を備えている。すなわち、開閉回路４５、蓄電手段４６、充電電圧検出回路４７、制御回路５０である。
【０１１１】
図６には、図５に示す開閉回路４５と蓄電手段４６として、電気二重層コンデンサ１個を使用した回路例を示す。
【０１１２】
図６の開閉回路４５は、電気二重層コンデンサＣが、予め設定された充電電圧以下になると閉じて電気二重層コンデンサＣに図５の充電回路から充電し、予め設定された充電電圧を超えると開いて、充電回路からの充電を停止する回路である。なお、充電は、商用交流ＡＣ又はキャパシタバンク９から行われる。
【０１１３】
また、開閉回路４５は、主電源がＯＦＦされた状態、又は省エネモード時等のときは、充電回路への電源供給を停止し、且つ、電気二重層コンデンサＣが予め設定された充電電圧以下になると閉じ、電気二重層コンデンサＣをキャパシタバンク９から充電する回路である。
【０１１４】
以下に詳細に説明する。
【０１１５】
電気二重層コンデンサＣである蓄電手段４６には、充電電圧検出回路４７が並列に接続されている。
【０１１６】
充電電圧検出回路４７は、シャントレギュレーターＸ１と、抵抗Ｒ１〜Ｒ３とにより構成される。充電電圧検出回路４７の出力により、開閉回路４５の開閉を制御する制御回路５０は、抵抗Ｒ４，Ｒ５，Ｒ６と、トランジスタＱ２で構成される。抵抗Ｒ１とＲ２からなる分圧回路の分圧電圧が、シャントレギュレーターＸ１の制御端子に入力され、充電電圧が検出される。
【０１１７】
電気二重層コンデンサＣの端子電圧が所定の電圧に充電されると、シャントレギュレーターＸ１はＯＮする。シャントレギュレーターＸ１がＯＮすると、トランジスタＱ２に抵抗Ｒ４を通してベース電流が流れ、トランジスタＱ２はＯＮする。トランジスタＱ２がＯＮすると、トランジスタＱ１のベース電圧は抵抗Ｒ６、Ｒ７により“Ｈ”になり、トランジスタＱ１はＯＦＦされる。
【０１１８】
逆に、キャパシタＣの端子電圧が所定の電圧に以下になると、シャントレギュレーターＸ１はＯＦＦする。シャントレギュレーターＸ１がＯＦＦすると、トランジスタＱ２はＯＦＦする。トランジスタＱ２がＯＦＦすると、トランジスタＱ１には抵抗Ｒ６、Ｒ７を通してベース電流が流れ、トランジスタＱ１はＯＮして電気二重層コンデンサＣは充電される。外部出力端子Ｔ１は図５の端子Ｔ１に接続される。
【０１１９】
次に、蓄電手段４６にリチウムイオン二次電池を２個、直列に接続して使用した回路例を図７に示す。
【０１２０】
図７において、リチウムイオン二次電池ＢＴの充電電圧を充電電圧検出回路４７で検出し、開閉回路４５を制御する動作は、図６と同じである。リチウムイオン二次電池を充電する充電回路４８は、定電圧・定電流充電機能を備えている。図７において、図６と同様の構成については説明を省略する。
【０１２１】
図５に戻って、本例では、省エネモードにより画像形成装置制御部１２、及びＬＡＮコントロール回路２６への電源供給が停止されると、オープンコレクター回路３４の出力も開放状態になり、ＬＥＤ５２には、蓄電手段４６の電力が供給されて点灯する。
【０１２２】
また、画像形成装置１のメモリ２５、ＬＡＮコントロール回路２６、画像形成装置制御部１２の一部の制御回路１２ｃにも出力端子Ｔ１及び出力端子Ｔ２より蓄電手段４６の電力が供給される。
【０１２３】
画像形成装置制御部１２にはＬＡＮコントロール回路２６が接続されており、省エネモード時は、蓄電手段４６により電力供給を受ける。
【０１２４】
蓄電手段４６の出力端子Ｔ１の電圧はＶｃｃより低く設定されており、主電源がＯＮされてＬＡＮインターフェース回路２６及び画像形成装置制御部１２の一部の制御回路１２ｃにＶｃｃ電源が供給されている場合は、蓄電手段４６の出力端子Ｔ１からＬＡＮインターフェース回路２６、及び画像形成装置制御部１２の一部の制御回路１２ｃに電力が供給されることはない。
【０１２５】
画像形成装置１の主電源がＯＮされた通常時は、電源供給回路２４によりメモリ２５には電力が供給されている。省エネモード時または主電源がＯＦＦ時は、出力端子Ｔ１の出力電圧によりメモリ２５はバックアップされる。なお、メモリ２５は、ＳＲＡＭ、ＳＤＲＡＭ、ＤＤＲ等である。
【０１２６】
ヒステリスシス特性を有した充電電圧検出回路３１は、コンパレータの反転入力端子電圧が、基準電圧回路３９の電圧より低くなると、リレー１１を閉じる信号“Ｈ”をトランジスタＴｒ２に出力する。トランジスタＴｒ２はＯＮとなり、トランジスタＴｒ３はＯＦＦとなり、リレー１１は非通電状態となり、リレー１１の接点は閉じられ、キャパシタバンク９、逐電手段４６への充電は開始される。
【０１２７】
図８には、図５の回路の他の構成例の要部を示す。すなわち、本例は図５の回路において、充電電圧検出回路３１などから構成される回路の一部に代えて、図８の回路を用いるものである。図８の回路は、その各回路要素は図５と同様である。図８の回路における信号ｃ，ｄは、図５に示している。信号ｅは、図６、図７に示している。図８の回路が図５と異なるのは、コンパレータ４２の反転入力端子にキャパシタバンク９全体の端子電圧に代えて、信号ｅ、すなわち蓄電手段４６の端子電圧を印加する点である。
【０１２８】
すなわち、図８は、蓄電手段４６の充電電圧を検出し、予め設定された閾値より充電電圧が低下した場合は、リレー１１の接点を閉じて、予め設定された閾値より充電電圧が高い場合は、リレー１１の接点を開放する回路である。
【０１２９】
このように、図５以下の回路では、複数のキャパシタセルを直列に接続したキャパシタバンク９と、所定の蓄電器となる蓄電手段４６が並列に接続されていて、蓄電器となる蓄電手段４６の充電電力をＬＡＮコントロール回路２４、画像形成装置制御部１２の一部（符号１２ｃ）、メモリ２５に供給するものである。
【０１３０】
そして、第１電圧検出回路となる基準電圧回路３９はキャパシタバンク９の端子電圧を検出し、第１充電手段となるリレー１１及び回路３７などはキャパシタバンク９を充電する。
【０１３１】
一方、第２電圧検出回路となる充電電圧検出回路４７は、蓄電手段４６の端子電圧を検出し、電圧が低下したときは、第２比較手段、第２充電手段となる開閉回路４５でキャパシタバンク９から蓄電手段４６に充電を行なう。
【０１３２】
よって、省エネモードの際のＬＡＮコントロール回路２４、画像形成装置制御部１２の一部（符号１２ｃ）、メモリ２５への電力供給専用の補助電源である蓄電手段４６の電圧の低下を判断して、所定値以下に低下した場合だけ充電するにしているので、図３の回路に比べてさらに節電を図ることができる。
【０１３３】
次に、画像形成装置１が備えている電源装置の他の構成例について説明する。
【０１３４】
図９は、この電源装置の回路図である。以下では、図５以下の回路の構成、動作と異なる点を中心に説明し、共通点については図５以下と同一符号を用いて、詳細な説明を省略する。
【０１３５】
前述の例では、リレー１１の前から画像形成装置制御部１２に、商用電源ＡＣを供給し、省エネモード時は、ＤＣ／ＤＣコンバータ３３をＯＦＦし、省エネモード解除時は、ＤＣ／ＤＣコンバータ３３をＯＮしている。
【０１３６】
これに対し、本例は、画像形成装置１の全ての電源を、リレー１１を介して供給し、省エネモード時はリレー１１を開放して画像形成装置１への電源供給を停止し、省エネモード解除時は、リレー１１を閉じて、画像形成装置１への電源供給を行っている。
【０１３７】
ＣＰＵ１２ａは、画像形成装置１で画像形成動作を実施して後、一定時間、画像形成動作を実施しない場合は、画像形成装置１の電力を削減した、省エネモードに入る。ＣＰＵ１２ａは、この省エネモードに入る時に、ポート１より、リレー１１を開放する信号“Ｈ”をオープンコレクター回路３４に出力する。オープンコレクター回路３４の出力により、リレー駆動回路３７のトランジスタＴｒ３はＯＮ状態になり、リレー１１は通電状態になる。リレー１１は通電されと、リレー１１は開放される。リレー１１が開放されることにより、画像形成装置１への商用交流電源ＡＣの供給は停止される。
【０１３８】
省エネモードを解除する時は、省エネモード解除ＳＷ３６をＯＮする。省エネモード解除ＳＷ３６がＯＮされると、トランジスタＴｒ４はＯＮし、リレー駆動回路３７のトランジスタＴｒ３はＯＦＦ状態になるので、リレー１１は非通電状態になり、ノーマルクローズのリレー１１は接点を閉じた状態になり、画像形成装置１には商用交流電源ＡＣが供給され、省エネモードは解除される。画像形成装置１は、主電源ＳＷ３５が投入された時と同じ動作を行う。
【０１３９】
画像形成装置制御部１２にはＬＡＮコントロール回路２６が接続されており、省エネモード時は、キャパシタ９ｑにより、電力供給を受けている。
【０１４０】
ＬＡＮコントロール回路２６は、省エネモード時にＬＡＮ信号を受信すると、省エネモード解除信号“Ｌｏｗ”を、トランジスタＴｒ３に出力する。リレー駆動回路３７のトランジスタＴｒ３はＯＦＦ状態になるので、リレー１１は非通電状態になり、ノーマルクローズのリレー１１は接点を閉じた状態になり、画像形成装置にはＡＣ電源が供給され省エネモードは解除される。
【０１４１】
以上、本発明の電子機器を画像形成装置に適用した例について説明したが、本発明の電子機器は画像形成装置に限定されるものではなく、様々な電子機器に適用することができる。
【図面の簡単な説明】
【０１４２】
【図１】本発明の一実施形態である画像形成装置の概略構成を示す説明図である。
【図２】定着装置の構成について説明する説明図である。
【図３】画像形成装置が備えている電源装置の回路図である。
【図４】電源装置の他の例の回路図である。
【図５】電源装置の他の例の回路図である。
【図６】開閉回路等の詳細な回路構成を示す回路図である。
【図７】開閉回路等の詳細な回路構成を示す回路図である。
【図８】電源装置の他の例の回路図である。
【図９】電源装置の他の例の回路図である。
【符号の説明】
【０１４３】
１  画像形成装置、電子機器
２  第１電源回路
９  キャパシタバンク、蓄電部
１０  充電装置
１１  第１充電手段
１２ｃ  一部の回路
２１  定着ローラ
２２  第２ヒータ、負荷
２４  一部の回路
２５  一部の回路、メモリ
２０，３０  第１ヒータ
３１  第１比較手段
３２  第２電源回路
３３  第２電源回路
３７  第１充電手段
３９  第１電圧検出回路
４５  第２比較手段、第２充電手段
４６  蓄電器、蓄電部
４７  第２電圧検出回路
１１１  定着装置
Ｃ１  第１電源回路
Ｃ４  第２電源回路
【図１】
2006211768.tif 000003
【図２】
2006211768.tif 000004
【図３】
2006211768.tif 000005
【図４】
2006211768.tif 000006
【図５】
2006211768.tif 000007
【図６】
2006211768.tif 000008
【図７】
2006211768.tif 000009
【図８】
2006211768.tif 000010
【図９】
2006211768.tif 000011